(57)【要約】      （修正有）【課題】播種ホースの排出開口に泥が詰らないようにすること、及び播種溝に対する種子の落下収容率を１００％に近い状態に保持することの互いに相反する関係にある二つの事項を同時に達成できるＶ溝直播機を提供する。【解決手段】作溝輪取付け軸３に作溝深さが規制された多数の作溝輪Ｗが軸方向に沿って一定間隔をおいて取付けられた作溝装置Ｂと、作溝直後のＶ溝状の各播種溝Ｖにそれぞれ播種ホースＨを介して種子を供給するための播種装置とを備えたＶ溝直播機であって、播種溝Ｖの内部に入り込んで、播種ホースＨの下端部が左右に振れるのを防止してその姿勢を維持する姿勢維持ロッドＲ1が、各播種ホースＨの下端部の外後面に一体に取付けられることで、各播種ホースＨの種子放出口３１は、播種溝Ｖの両肩部に対して非接触状態で空間配置される構成とする。【選択図】図５
2018143118.tif 000002
【特許請求の範囲】
【請求項１】
機体の進行方向と直交する方向に沿って当該機体に作溝輪取付け軸が支持され、当該作溝輪取付け軸には、外周部が断面Ｖ字状をなして、作溝深さが規制された多数の作溝輪が軸方向に沿って一定間隔をおいて取付けられた作溝装置と、
前記機体に前記作溝輪取付け軸の軸心方向に沿って所定間隔をおいて支持された多数の種子ホッパーから、作溝直後のＶ溝状の各播種溝にそれぞれ播種ホースを介して種子を供給するための播種装置と、
を備えたＶ溝直播機であって、
前記播種溝の内部に入り込んで、当該播種ホースの下端部が左右に振れるのを防止して播種ホースの姿勢を維持する姿勢維持ロッドが、前記各播種ホースの下端部の外後面に取付手段を介して一体に取付けられることで、各播種ホースの種子放出口は、播種溝の両肩部に対して非接触状態で空間配置される構成であることを特徴とするＶ溝直播機。
【請求項２】
前記姿勢維持ロッドは、播種溝の底部に落下収容された種子を移動させないように、その下端部が播種溝の深さ方向の途中に配置されると共に、当該姿勢維持ロッドの幅は、その下端部が、播種溝の対向内側面部に接触して土が切り崩されることで、播種溝の底部に落下収容された種子が少量覆土される構成であることを特徴とする請求項１に記載のＶ溝直播機。
【請求項３】
前記取付手段は、前記播種ホースの下端部における横断面視で機体の進行方向に対して後半分の内外周面にそれぞれ密着配置される横断面が、機体の進行方向に沿って長軸を有する半楕円状の内側及び外側の各取付け板と、内側取付け板に一体に固着されて、当該播種ホースの肉部及び外側取付け板を貫通する寸切ボルトと、当該外側取付け板の外側において、前記寸切ボルトに螺合されるナットとから成ることを特徴とする請求項１又は２に記載のＶ溝直播機。
【請求項４】
前記姿勢維持ロッドは、播種溝の対向内側面部を崩して播種直後の種子を覆土可能な断面円形又は多角形状であることを特徴とする請求項１ないし３のいずれかに記載のＶ溝直播機。
【請求項５】
前記姿勢維持ロッドは、播種溝の対向内側面部を崩して播種直後の種子を覆土可能な二股ロッド状であることを特徴とする請求項１ないし３のいずれかに記載のＶ溝直播機。
【発明の詳細な説明】
【技術分野】
【０００１】
本発明は、水分の多い軟弱な田面に形成されたＶ溝に稲の種子を直接に播種するのに使用されるＶ溝直播機に関するものである。
【背景技術】
【０００２】
Ｖ溝直播とは、特許文献１に示されるように、均平な田圃において、Ｖ溝直播機を使用して、図７（ｂ）に示されるように、適宜の条間で、〔開口幅（Ｍ）×深さ（Ｄ）〕＝（２×５）ｃｍ程度の断面二等辺三角形状のＶ溝状の播種溝を田面に連続して形成した後に、当該播種溝の底部に、必要に応じて肥料と一緒に稲の種子（籾）を落下させて播種を行い、その後に播種溝の底部に少量の土を落下させて覆土することで、乾田化した田圃を耕起することなく、直接に稲の種子を播種することで、稲を栽培する方法である。
【０００３】
Ｖ溝直播機は、機体の進行方向と直交する方向に沿って当該機体に作溝輪取付け軸が支持され、当該作溝輪取付け軸には、外周部が断面Ｖ字状をなして、作溝深さが規制された多数の作溝輪が軸方向に沿って一定間隔をおいて取付けられた作溝装置と、前記機体に前記作溝輪取付け軸の軸心方向に沿って所定間隔をおいて支持された多数の種子ホッパーから、作溝直後の前記各播種溝にそれぞれ播種ホースを介して種子を供給して播種するため播種装置とを備え、作溝装置の各作溝輪により田面に前記播種溝が形成された直後に、各種子ホッパーから各播種ホースを介して各播種溝に種子が落下されることで播種される。なお、必要に応じて、種子と混合状態で肥料が供給されることもある。
【０００４】
上記において、播種ホースの下端が播種溝から離れていると、機体の移動及び振動によって、当該播種ホースの下端の種子放出口が左右に振れ易くなり、これにより、播種ホースの種子放出口から落下排出された種子の一部が播種溝の外に放出されて、全ての種子が播種溝に収容されなくなって、播種ホースから放出された種子が播種溝に収容される割合である種子収容率が低下し、ひいては稲の生産高が下がる。これを防止するため、播種ホースから落下される種子の全てが、確実に播種溝に供給されるようにすべく、当該播種ホースの下端部は、播種溝の両肩部に接触させている。
【０００５】
このため、水分が多くて田圃自体が軟弱な場合、或いは乾田化した状態では田面が比較的締まっているが、降雨直後又は降雨後に日が経過していない状態、特に、雨の多い地域では、田圃がなかなか乾かないので、土壌に水分が多い状態で、播種作業をせざるを得ない場合がある。播種ホースの下端部を播種溝に直接に接触させると、上記したように、落下種子が播種溝の外部に放出されなくなるが、Ｖ溝の田面が軟らかい状態では、播種ホースの種子放出口に泥が付着したり、内部に入り込んだりし易い。この不具合を避けるために、播種ホースの種子放出口をＶ溝から離すと、上記したように、落下種子の一部がＶ溝の外部に放出されてしまう。
【先行技術文献】
【特許文献】
【０００６】
【特許文献１】特開２０１４−１８７９３３号公報
【発明の概要】
【発明が解決しようとする課題】
【０００７】
本発明は、水分の多い軟弱な田圃にＶ溝直播を行う場合において、播種ホースをＶ溝から離間させて排出開口に泥が詰らないようにすること、及び播種ホースの種子放出口から放出された種子が播種溝に収容される種子収容率を１００％に近い状態に保持することとの互いに相反する関係にある二つの事項を同時に達成することを課題としている。
【課題を解決するための手段】
【０００８】
上記課題を解決するための請求項１の発明は、機体の進行方向と直交する方向に沿って当該機体に作溝輪取付け軸が支持され、当該作溝輪取付け軸には、外周部が断面Ｖ字状をなして、作溝深さが規制された多数の作溝輪が軸方向に沿って一定間隔をおいて取付けられた作溝装置と、
前記機体に前記作溝輪取付け軸の軸心方向に沿って所定間隔をおいて支持された多数の種子ホッパーから、作溝直後のＶ溝状の各播種溝にそれぞれ播種ホースを介して種子を供給するための播種装置と、
を備えたＶ溝直播機であって、
前記播種溝の内部に入り込んで、当該播種ホースの下端部が左右に振れるのを防止して播種ホースの姿勢を維持する姿勢維持ロッドが、前記各播種ホースの下端部の外後面に取付手段を介して一体に取付けられることで、各播種ホースの種子放出口は、播種溝の両肩部に対して非接触状態で空間配置される構成であることを特徴としている。
【０００９】
請求項１の発明によれば、機体の進行により、作溝装置を構成する各作溝輪により開口幅及び深さの双方が定められた多数の播種溝が一定ピッチをおいて田面に形成され、その直後に、播種装置を構成する各播種ホースの種子放出口から、各播種溝の底部に種子が落下されて播種される。ここで、播種ホースの下端部の外後面には、姿勢維持ロッドが播種溝に入り込んだ状態で取付けられて、当該播種ホースの下端の種子放出口は、播種溝の両肩部に対して非接触状態となって空間配置されているため、機体の移動及び振動によって、播種ホースの下端部が左右に大きく振れなくなって、播種ホースの種子放出口は、常に播種溝の開口の直上に位置している。よって、播種ホースの下端部が空間配置されているにもかかわらず、播種溝の直上から全ての種子が当該播種溝に落下されるため、播種溝に対する種子の収容率は、１００％又はこれに近い状態を維持できる。また、播種ホースの下端部が播種溝の両肩部に対して非接触状態であるため、軟弱な田圃においても、播種ホースの下端部に泥が付着して堆積するのを防止できて、播種ホースの下端の種子放出口は、常に最大に開口した状態を維持できて、播種溝に対する種子の収容率を最大に近い状態に維持できる。
【００１０】
請求項２の発明は、請求項１の発明において、前記姿勢維持ロッドは、播種溝の底部に落下収容された種子を移動させないように、その下端部が播種溝の深さ方向の途中に配置されると共に、当該姿勢維持ロッドの幅は、その下端部が、播種溝の対向内側面部に接触して土が切り崩されることで、播種溝の底部に落下収容された種子が少量覆土される構成であることを特徴としている。
【００１１】
請求項２の発明によれば、播種溝内に入り込んでいる姿勢維持ロッドの下端部が播種溝の深さ方向の途中に配置されていて、しかも播種溝の対向内側面部に接触して土が切り崩されるため、当該播種溝の底部に落下収容された種子が移動されることがないと共に、播種溝の底部に落下収容された種子が少量覆土される。また、姿勢維持ロッドの下端部が播種溝の対向内側面部に接触しているため、機体の振動により姿勢維持ロッドが左右に振れなくなって、播種溝に対する播種ホースの種子放出口の位置が、前記種子収容率が最大となるように維持される。
【００１２】
請求項３の発明は、請求項１又は２の発明において、前記取付手段は、前記播種ホースの下端部における横断面視で機体の進行方向に対して後半分の内外周面にそれぞれ密着配置される横断面が、機体の進行方向に沿って長軸を有する半楕円状の内側及び外側の各取付け板と、内側取付け板に一体に固着されて、当該播種ホースの肉部及び外側取付け板を貫通する寸切ボルトと、当該外側取付け板の外側において、前記寸切ボルトに螺合されるナットとから成ることを特徴としている。
【００１３】
請求項３の発明によれば、播種ホースの下端部における横断面視で機体の進行方向に対して後半部の肉部は、横断面が半楕円状の内側及び外側の各取付け板により挟持された状態で、内側取付け板に一体に設けられた寸切ボルトが、播種ホースの肉部及び外側取付け板にそれぞれ挿通されて、ナットと螺合されることで、当該外側取付け板に姿勢維持ロッドが一体に取付けられているため、長期間の使用によっても、播種ホースの下端部に対して姿勢維持ロッドの配置位置がずれることなく、しっかりした取付状態が維持される。また、内側及び外側の各取付け板の横断面が、機体の進行方向に沿って長軸を有する半楕円状であるため、播種ホースの種子放出口の幅が狭められて、落下種子が播種溝に収容され易くなると共に、播種ホースの種子放出口の形状を長期間に亘って維持できる。
【００１４】
請求項４の発明は、請求項１ないし３のいずれかの発明において、前記姿勢維持ロッドは、播種溝の対向内側面部を崩して播種直後の種子を覆土可能な断面円形又は多角形状であることを特徴としている。
【００１５】
請求項４の発明によれば、姿勢維持ロッドが中実体で構成されるため、長期の使用により、土との継続接触により多少磨耗しても、播種ホースの下端部の姿勢維持ロッドとしての機能を果し得る。
【００１６】
請求項５の発明は、請求項１ないし３のいずれかの発明において、前記姿勢維持ロッドは、播種溝の対向内側面部を崩して播種直後の種子を覆土可能な二股ロッド状であることを特徴としている。
【００１７】
請求項５の発明によれば、姿勢維持ロッドが二股ロッド状であるため、各ロッド部が独立して、播種溝の対向内側面部に接触するため、土が崩され易くなって、播種溝の底部に落下収容された種子に対する覆土作用が高められる。
【発明の効果】
【００１８】
本発明によれば、播種ホースの下端部の外後面には、姿勢維持ロッドが播種溝に入り込んだ状態で取付けられて、当該播種ホースの下端の種子放出口は、播種溝の両肩部に対して非接触状態となって空間配置されているため、機体の移動及び振動によって、播種ホースの下端部が左右に大きく振れなくなって、播種ホースの種子放出口は、常に播種溝の開口の直上に位置している。よって、播種ホースの下端部が空間配置されているにもかかわらず、播種溝の直上から種子の全てが当該播種溝に落下されるため、播種溝に対する種子の収容率は、１００％又はこれに近い状態を維持できる。また、播種ホースの下端部が播種溝の両肩部に対して非接触状態であるため、軟弱な田圃においても、播種ホースの下端部に泥が付着して堆積するのを防止できて、播種ホースの下端の種子放出口は、常に最大に開口した状態を維持できて、播種溝に対する種子の収容率を最大に近い状態に維持できる。
【図面の簡単な説明】
【００１９】
【図１】本発明に係るＶ溝直播機Ａを背面側から見た斜視図である。
【図２】同じく右側面図である。
【図３】Ｖ溝直播機Ａを構成する同じく作溝装置Ｂの平面図である。
【図４】（ａ）は、作溝輪取付け軸３に隣接して取付けられた２つの作溝輪Ｗの一方を破断した図であり、（ｂ）は、（ａ）のＸ−Ｘ線断面図である。
【図５】播種状態の作溝輪Ｗ及び播種ホースＨの下端部を主体に示す部分斜視図である。
【図６】同じく側面図である。
【図７】（ａ），（ｂ）は、それぞれ播種溝Ｖの形成状態、及び播種状態の断面図である。
【図８】（ａ）は、播種ホースＨの下端部の側面図であり、（ｂ）は、（ａ）のＹ矢視図である。
【図９】播種ホースＨの下端部に姿勢維持ロッドＲ1 が取付けられる構造の分解斜視図である。
【図１０】（ａ）は、播種ホースＨの下端部に姿勢維持ロッドＲ1 が取付けられる構造の分解横断面図であり、（ｂ）は、同じく取付けられた状態の横断面図である。
【図１１】（ａ）は、播種ホースＨの下端部に姿勢維持ロッドＲ1 が取付けられた状態の背面図であり、（ｂ）は、姿勢維持ロッドＲ1 の種々の断面形状を示す。
【図１２】（ａ），（ｂ）は、いずれも二股構造の姿勢維持ロッドＲ2 ，Ｒ2'の背面図と断面図の組み合せ図である。
【発明を実施するための形態】
【００２０】
以下、最適な実施例を挙げて、本発明を更に詳細に説明する。最初に、図１〜図４を参照して、Ｖ溝直播機Ａの全体構成について簡単に説明し、その後に、本発明に係る播種ホースＨの下端部に取付けられた姿勢維持ロッドＲ1 の部分について詳細に説明する。
【００２１】
水分が多くて軟弱な田圃でＶ溝直播を行う場合において、Ｖ溝直播機の牽引車としてトラクタを使用すると、田面に車輪跡（特に、後輪による車輪跡）による凹部が発生して、播種溝であるＶ溝の位置と合致すると、当該Ｖ溝を形成できない。そこで、軟弱な田圃においては、牽引車として、車輪幅（車輪自体の幅であって、左右一対の車輪の間隔ではない）がＶ溝の条間に納まる車輪を有する「乗用管理機」と称される牽引車が使用される。
【００２２】
直播機Ａは、作業機連結ユニットＵを介して前記乗用管理機の後部に連結され、当該乗用管理機により牽引されて、田面に断面二等辺三角形状の多数の播種溝Ｖを形成した直後に、当該播種溝Ｖの底部に種子Ｓを播種する農業機械であって、多数の前記播種溝Ｖを形成するための作溝装置Ｂと、必要に応じて肥料と一緒に種子Ｓを供給して、前記播種溝Ｖに落下させるための播種装置Ｅとが、機体２に一体に搭載された構成である。作溝装置Ｂは、作溝輪取付け軸３に一定間隔をおいて多数の作溝輪Ｗが取付けられた構成であって、乗用管理機のＰＴＯ軸（図示せず）から取り出された動力が、動力伝達機構により前記作溝輪取付け軸３に伝達されて、当該作溝輪取付け軸３が駆動回転される。なお、図１〜図３において、１０は、乗用管理機の後輪を示す。
【００２３】
播種装置Ｅは、作溝輪取付け軸３に取付けられた各作溝輪Ｗの直上に配置されて、種子と肥料とが分離して収容される作溝輪Ｗと同数の種子・肥料ホッパー４と、当該ホッパー４の直下に設けられた種子Ｓと肥料とを混合させて定量供給するための前記ホッパー４と同数の受け器５と、各受け器５の下端の排出口に接続されて、肥料が混合された種子Ｓを播種溝Ｖの底部に落下させて供給するための作溝輪Ｗと同数の播種ホースＨとから成る。各受け器５には、繰出軸６が貫通されていて、当該繰出軸６は、機体２の前方であって、作溝輪取付け軸３の軸心方向に沿った一方の端部に配置された接地駆動輪７の回転駆動力が動力伝達機構により伝達されることで、駆動回転される。また、播種ホースＨの下半部は、下端の種子放出口３１が、直下に対して機体２の進行方向Ｑを基準にして僅かに斜め後方を向くように傾斜配置され、当該傾斜配置姿勢を維持させるために、機体２の後部に播種ホース支持棹３２が横方向に支持され、当該播種ホース支持棹３２の前方には、上下の各ホース支持板３３ａ，３３ｂが僅かに下方を向いた状態で取付けられ、各播種ホースＨの下端の種子放出口３１の上方の部分は、上下一対の各ホース支持板３３ａ，３３ｂで支持されることで、播種ホースＨの種子放出口３１は、機体２の進行方向Ｑを基準にして僅かに斜め後方を向くように傾斜配置される。
【００２４】
作溝輪Ｗには、種々の構造があるが、一例として、図４に示されるものを挙げる。この作溝輪Ｗは、中心孔を有する大径及び小径の一対のわん曲円板１１，１２の外周部を小径のわん曲円板１２の側で溶接１３して、一対のわん曲円板１１，１２を一体化させて、当該一対のわん曲円板１１，１２の各中心孔１１ａ，１２ａに短円筒状の取付円筒体１４を嵌め込んで、溶接１３により一体化させ、最後に、一対のわん曲円板１１，１２の外側に、それぞれ分割鍔リング体１５を嵌め込んで、溶接１３により一体化させている。一対のわん曲円板１１，１２が溶接１３により一体化された形状は、中心孔を有することを含めて、ソロバン玉の形状に近似している。これにより、一対の分割鍔リング体１５で構成される深さ規制用の規制鍔リング体１６の幅方向の中央部に、横断面が鋭いＶ字状をした作溝突出板部２１が全周に亘って突設された構成の作溝輪Ｗとなる。規制鍔リング体１６の外周面に対する作溝突出板部２１の突出長が、播種溝Ｖの深さＤとなる。
【００２５】
田面Ｆには、作溝輪取付け軸３の駆動回転により、当該作溝突出板部２１の横断面形状に対応した播種溝Ｖが形成される。作溝輪Ｗが一体に設けられた多数の取付円筒体１４は、作溝輪取付け軸３の外側に嵌め込まれて、連結ピン１７によって両者が一体化されることで、当該作溝輪取付け軸３に、田面Ｆに形成する多数条の播種溝Ｖの条間隔（ピッチ）〔Ｐ〕〔図３参照〕に対応した間隔をおいて一体に取付けられて、前記作溝装置Ｂを構成する。なお、取付円筒体１４には、ナット１８が溶接により固定され、当該ナット１８に螺合されたボルト１９の先端部が、取付円筒体１４に設けられた貫通孔１４ａに挿入されて、作溝輪取付け軸３の外周面に当接させることで、作溝輪取付け軸３と取付円筒体１４との間のガタツキを防止している。
【００２６】
そして、機体２が進行して、作溝装置Ｂを構成する作溝輪取付け軸３の駆動回転により、多数の作溝輪Ｗにより一定ピッチＰのＶ字状の播種溝Ｖが連続して形成され、播種装置Ｅを構成する各種子・肥料ホッパー４から、繰出軸６の駆動回転により種子・肥料ホッパー４内の種子が肥料と混合された状態で定量供給されて、播種ホースＨによって、形成直後の播種溝Ｖに落下される。
【００２７】
次に、図８〜図１１を参照して、本発明に係る播種ホースＨの下端部の外後面（機体２の進行方向Ｑに沿って後輪の外側面）に取付けられた姿勢維持ロッドＲ1 の部分について詳細に説明する。播種ホースＨの下端部は、機体２の進行方向Ｑに対して僅かに後方に傾斜して配置されることで、下端の種子放出口３１は、直下に対して僅かに斜後方を向いた状態で、断面Ｖ字状の播種溝Ｖの両肩部に接触することなく空間配置されている。このように配置された播種ホースＨの下端部における前記進行方向Ｑに沿って後側の外周面には、機体２の進行中に播種ホースＨの種子放出口３１が左右に振れるのを防止して、当該播種ホースＨの下端部の配置姿勢を維持させる姿勢維持ロッドＲ1 が、内側及び外側の各取付け板４１，４２を介して一体に取付けられる。内側及び外側の各取付け板４１，４２は、機体２の進行方向Ｑに沿って長軸を有する半楕円状の横断面を有していて、内側取付け板４１の外面には、寸切ボルト４３が垂直となって溶接により一体に固着され、外側取付け板４２の外周面における周方向の中央部であって、幅方向の一端部には、断面正方形状の姿勢維持ロッドＲ1 の長手方向の一端部に溶接により一体に固着されている。姿勢維持ロッドＲ1 は、播種ホースＨに取付けられた状態で、外側取付け板４２に対して播種ホースＨの長手方向に沿うような方向に一体に固着されている。
【００２８】
播種ホースＨは、補強材が埋設された樹脂製であって、外径及び内径が、それぞれ３３ｍｍ，２５ｍｍ程度であるため、４ｍｍ程度の肉厚を有する。播種ホースＨの下端部の内側及び外側に、それぞれ内側及び外側の各取付け板４１，４２が内外の各周面に密着して配置され、内側取付け板４１に固着された寸切ボルト４３は、播種ホースＨの肉部を貫通するボルト挿通孔４４及び外側取付け板４２の周方向及び幅方向の各中央部に形成されたボルト挿通孔４５にそれぞれ挿通されて、ナット４６に螺合されている。これにより、播種ホースＨの下端の種子放出口３１に近い部分に、内側及び外側の各取付け板４１，４２が、播種ホースＨの肉部を内側及び外側から挟持することで、播種ホースＨの周方向及び長手方向の双方に対してずれない状態で、一体に取付けられる。この結果、外側取付け板４２に一体に固着された姿勢維持ロッドＲ1 は、播種ホースＨに対して周方向及び長手方向の双方に対してずれない状態で、当該播種ホースＨに、その長手方向に沿って一体に取付けられる。なお、図８〜図１０において、４７は、座金を示す。
【００２９】
このように、内側及び外側の各取付け板４１，４２は、使用時の播種ホースＨに取付けられた状態で、その長軸が機体２の進行方向Ｑに沿っているため、播種ホースＨの下端の種子放出口３１は、長軸が機体２の進行方向Ｑに沿った半楕円状となる。この結果、播種ホースＨの種子放出口３１は、断面が円形の場合に比較して、幅が狭くなると共に、機体２の進行方向Ｑに沿った長さが長くなるので、落下する種子Ｓは、播種溝Ｖに収容されやすい形状に変形されて、播種溝Ｖに対する種子Ｓの収容率が高められる。
【００３０】
また、機体２が直進する場合には、各播種溝Ｖの直上に播種ホースＨの各種子放出口３１が存在するので、問題はないが、機体２が僅かに蛇行した場合には、各種子放出口３１は、各播種溝Ｖの直上から左右のいずれかに僅かにずれて、種子Ｓの一部を播種溝Ｖの外部に放出される恐れがある。しかし、本発明においては、播種溝Ｖに下端部が入り込んでいる姿勢維持ロッドＲ1 により、種子放出口３１は、当該播種溝Ｖの直上に配置された姿勢を維持するので、機体２の蛇行の程度が小さい範囲内では、落下される種子Ｓは、播種溝Ｖ内に落下して収容される。
【００３１】
また、播種溝Ｖに対する姿勢維持ロッドＲ1 の配置高さは、図６及び図７に示されるように、当該姿勢維持ロッドＲ1 により、播種溝Ｖの底部に落下収容された種子Ｓが移動されないように、播種溝Ｖの底部に対して所定長だけ高い位置に配置することが必要である。また、姿勢維持ロッドＲ1 は、播種ホースＨの強い弾力と相まって、当該姿勢維持ロッドＲ1 の下端部により、播種溝Ｖの対向内側面Ｖａの土が切り崩されて、当該播種溝Ｖの底部に落下収容された種子Ｓが覆土される幅を有することが望ましい。なお、図６及び図７において、５１は、播種溝Ｖの対向内側面Ｖａが切り崩されて、種子Ｓを覆土する土を示す。
【００３２】
ここで、水分の多い田圃における水分を多く含んだ湿った土は、粘着性を有していて、上記した姿勢維持ロッドＲ1 によっても、切り崩されにくく、仮に、播種溝Ｖの対向内側面Ｖａの土が切り崩されるとした場合でも、その量は僅かであるが、この結果は、種子の発芽の面からは、好ましい状態である。即ち、播種溝Ｖに落下された種子Ｓに対して水分の多い土を多量に覆土すると、酸欠状態となって、種子の発芽が阻害されてしまうが、本発明に係る姿勢維持ロッドＲ1 による覆土量は僅かであるので、種子の発芽の面からは、むしろ好ましい状態と言える。
【００３３】
このように、播種ホースＨの下端部における機体２の進行方向Ｑに対して後側の外周面に、姿勢維持ロッドＲ1 が、当該姿勢維持ロッドＲ1 の長手方向に沿うようにして一体に取付けられて、当該姿勢維持ロッドＲ1 の下端部は、播種溝Ｖの内部に入り込んでいるため、田面Ｆに対して播種ホースＨの種子放出口３１が離間されて空間配置されていても、機体２の移動及び振動によって、播種ホースＨの下端の種子放出口３１が左右に振れなくなって、播種ホースＨの下端の種子放出口３１から落下される種子Ｓは、当該種子放出口３１が播種溝Ｖの両肩部に接触している場合と同様にして、その全てが、播種溝Ｖに収容される。
【００３４】
この結果、田面Ｆに対して離間して空間配置されている播種ホースＨの種子放出口３１には、軟弱な田圃、或いは降雨直後の軟弱な田面であっても、泥が付着しないので、時間に対する種子Ｓの落下量（播種量）を一定に保持できる。なお、田面Ｆに対する播種ホースＨの種子放出口３１の離間長Ｌは、泥が付着しない範囲において可能な限り短いことが望ましい。
【００３５】
なお、水分の多い軟弱な田圃では、作溝輪Ｗの分割鍔リング体１５の外周面に水分の多い土が付着し易く、当該土の付着により、形成される播種溝Ｖの深さＤが浅くなってしまうので、播種ホース支持棹３２に取付けられたスクレーパ８により、回転中に削ぎ落とされるので、分割鍔リング体１５への水分の多い土の付着はない。
【００３６】
また、姿勢維持ロッドＲ1 の断面形状に関しては、播種溝Ｖの内部に入り込んで、播種ホースＨの種子放出口３１の横揺れを防止できること（種子放出口の横揺れ防止機能）が必要不可欠であり、望ましくは、播種溝Ｖの対向内側面Ｖａの土を切り崩すことが可能であること（土の切崩し機能）の条件を満たせば、図１１に示されるように、正方形に限定されず、円形、正六角形であってもよい。
【００３７】
また、図１２に示されるような二股状の姿勢維持ロッドＲ2 ，Ｒ2'であっても、種子放出口３１の横揺れ防止機能と土の切崩し機能との双方を果し得る。
【符号の説明】
【００３８】
Ａ：直播機
Ｂ：作溝装置
Ｄ：播種溝の深さ（作溝突出板部の突出長）
Ｅ：播種装置
Ｆ：田面
Ｈ：播種ホース
Ｍ：播種溝の開口幅
Ｑ：機体の進行方向
Ｒ1,Ｒ2 ：姿勢維持ロッド
Ｓ：種子
Ｖ：播種溝
Ｖａ：播種溝の対向内側面
Ｗ：作溝輪
２：機体
３：作溝輪取付け軸
３１：種子放出口
４１：内側取付け板
４２：外側取付け板
４３：寸切ボルト
４６：ナット
【図１】
2018143118.tif 000003
【図２】
2018143118.tif 000004
【図３】
2018143118.tif 000005
【図４】
2018143118.tif 000006
【図５】
2018143118.tif 000007
【図６】
2018143118.tif 000008
【図７】
2018143118.tif 000009
【図８】
2018143118.tif 000010
【図９】
2018143118.tif 000011
【図１０】
2018143118.tif 000012
【図１１】
2018143118.tif 000013
【図１２】
2018143118.tif 000014